(57)【要約】【課題】サンゴ礁の破壊された場所または生育していなかった場所へのサンゴ群体の定着及び増殖を効率的に促進することができるサンゴの増殖方法及び装置を提供する。【解決手段】水槽の対向する第１の壁面及び第２の壁面に平行に配置された第１の電極及び第２の電極間の前記水槽の底壁に、造礁サンゴのサンゴ片を固着した基体を並べ、前記第１及び第２の電極を前記サンゴ片の垂直方向の中間位置に保持しつつ、前記第１の電極と前記第２の電極との間に、直流電圧を印加する。水槽の第３の壁面上に水平方向に沿って設けられた複数の海水噴出口から所定の水圧をかけて前記水槽内の水面へ海水を噴出することにより、水槽内へ給水し、水槽内の海水を前記第３の壁面に対向する第４の壁面側から該第４の壁面の横方向に延びた滝状に排水することにより、水位をほぼ一定に保ちながら、前記第３の壁面から前記第４の壁面に向かう定常的な海水の流れを作る。【選択図】図２
2008259476.tif 000002
【特許請求の範囲】
【請求項１】
（ａ）水槽の対向する第１の壁面及び第２の壁面に平行に配置された第１の電極及び第２の電極間の前記水槽の底壁に、造礁サンゴのサンゴ片を固着した基体を並べ、（ｂ）前記第１及び第２の電極を前記サンゴ片の垂直方向の中間位置に保持しつつ、（ｃ）前記第１の電極と前記第２の電極との間に直流電圧を印加し、（ｄ）前記水槽の第３の壁面上に水平方向に沿って設けられた複数の海水噴出口から所定の水圧をかけて前記水槽内の水面へ海水を噴出することにより、前記水槽内へ給水し、前記水槽内の海水を前記第３の壁面に対向する第４の壁面側から該第４の壁面の横方向に延びた滝状に排水することにより、水位をほぼ一定に保ちながら、前記第３の壁面から前記第４の壁面に向かう定常的な海水の流れを作ることを特徴とするサンゴの増殖方法。
【請求項２】
（ａ）水槽の対向する第１の壁面及び第２の壁面に平行に配置された第１の電極及び第２の電極と、前記第１の電極及び第２の電極との間に平行に配置された第３の電極との間の前記水槽の底壁に、造礁サンゴのサンゴ片を固着した基体を並べ、（ｂ）前記第１乃至第３の電極を前記サンゴ片の垂直方向の中間位置に保持しつつ、（ｃ）前記第１の電極と前記第３の電極との間と、前記第２の電極と前記第３の電極との間に、それぞれ直流電圧を印加し、（ｄ）前記水槽の第３の壁面上に水平方向に沿って設けられた複数の海水噴出口から所定の水圧をかけて前記水槽内の水面へ海水を噴出することにより、前記水槽内へ給水し、前記水槽内の海水を前記第３の壁面に対向する第４の壁面側から該第４の壁面の横方向に延びた滝状に排水することにより、水位をほぼ一定に保ちながら、前記第３の壁面から前記第４の壁面に向かう定常的な海水の流れを作ることを特徴とするサンゴの増殖方法。
【請求項３】
請求項１または２記載のサンゴの増殖方法において、（ｅ）前記第１の壁面上に水平方向に沿って設けられた複数の海水噴出口から所定の水圧をかけて前記水槽内の水面へ前記定常的な流れの方向に海水を噴出することにより、前記水槽内へ給水するとともに、（ｆ）前記第２の壁面上に水平方向に沿って設けられた複数の海水噴出口から所定の水圧をかけて前記水槽内の水面へ前記定常的な流れの方向に海水を噴出することにより、前記水槽内へ給水することを特徴とするサンゴの増殖方法。
【請求項４】
前記第１の電極と前記第２の電極との間隔を約０．８ｍに保ち、該第１及び第２の電極間に約３．７ボルト〜４．２ボルトの直流電圧を印加して、該第１及び第２の電極間に約０．９アンペア〜１．４アンペアの電流を流すことを特徴とする請求項１記載のサンゴの増殖方法。
【請求項５】
水槽と、
前記水槽内に、該水槽の対向する第１の壁面及び第２の壁面に平行に配置された第１の電極及び第２の電極と、
前記第１の電極と前記第２の電極との間に直流電圧を印加する電圧印加手段と、
前記水槽の第３の壁面上、前記第１の壁面上、及び前記第２の壁面上に水平方向に沿って設けられた、前記水槽内への給水用の複数の海水噴出口と、
前記水槽内の海水を前記第３の壁面に対向する第４の壁面から水平方向に沿って滝状に排水する排水手段と、
を備え、
前記第１及び第２の電極間の前記水槽の底壁に並べられたサンゴを増殖するためのサンゴ増殖装置。
【請求項６】
水槽と、
前記水槽内に、該水槽の対向する第１の壁面及び第２の壁面に平行に配置された第１の電極及び第２の電極と、前記第１の電極及び第２の電極との間に平行に配置された第３の電極と、
前記第１の電極と前記第３の電極との間、及び前記第２の電極と前記第３の電極との間に直流電圧をそれぞれ印加する電圧印加手段と、
前記水槽の第３の壁面上、前記第１の壁面上、及び前記第２の壁面上に水平方向に沿って設けられた、前記水槽内への給水用の複数の海水噴出口と、
前記水槽内の海水を前記第３の壁面に対向する第４の壁面から水平方向に沿って滝状に排水する排水手段と、
を備え、
前記第１及び第３の電極間、及び前記第２及び第３の電極の間の前記水槽の底壁に並べられたサンゴを増殖するためのサンゴ増殖装置。
【発明の詳細な説明】
【技術分野】
【０００１】
本発明は、サンゴの増殖方法及び装置に関する。
【背景技術】
【０００２】
サンゴは、刺胞動物門花虫網に属する動物（サンゴ虫）のうち固い骨格を発達させる種である。サンゴには、海水中の炭酸カルシウム（二酸化炭素＋カルシウム）で自らの骨格を作り、珊瑚礁を形成する造礁サンゴがある。水中の二酸化炭素は、大気中より溶け込んだものであるため、珊瑚礁を維持することは、大気中の二酸化炭素を吸収する効果も期待できる。一方で、沿岸の開発による海水汚濁、津波などの自然災害などにより、多くの珊瑚礁が失われつつあり、珊瑚礁の保護・育成に大きな関心が集まっている。
【０００３】
造礁珊瑚の種類は、ミドリイシ（テーブルサンゴ）、ノウサンゴ、キクメイシなど数百種類にもおよぶが、これらは直径１ｃｍ足らずのイソギンチャクに似たポリプがたくさん集まって群体をなしたものである。成長したポリプは分裂して増え、海水中の二酸化炭素やカルシウムを取り込み、炭酸カルシウムを主成分とした骨格をつくる。サンゴのポリプはプランクトンを補食するが、体内に褐虫藻と呼ばれる藻類を共生させている。褐虫藻は、ポリプの呼吸や代謝によって発生する二酸化炭素（ＣＯ２）やアンモニアなどを用いて光合成を行う。また、褐虫藻が生産する代謝生産物が、サンゴの生息に不可欠であるのみならず、サンゴの骨格を発達させることを促進している。従って、サンゴが動物でありながら光の存在が必要であり、褐虫藻が死亡あるいは珊瑚から抜けてしまうと（白化現象）、やがて珊瑚のポリプも死滅してしまう。このため、珊瑚礁が発達するためには、浅く光のあたる水域で、酸素供給の為に充分な海水交換も必要である。
【０００４】
従来からある、サンゴの増殖方法には、例えば、水槽中に、海中から採取した天然の宝石サンゴを収納し、当該水槽内に海洋深層水を少なくとも２０度以下の温度に保って流入、循環させて、宝石サンゴを飼育する方法も開示されている（例えば、特許文献１参照）。さらに、海中の壊れたサンゴを鉄の構造物にケーブルで結び付け、そこに３ボルトの軽い電流を流すことにより、海水中のカルシウム炭酸塩を鉄の上にコーティングさせて、サンゴを構造に付着させる手法も実際に実施されている（例えば、非特許文献１参照）。
【特許文献１】特公平７−１０２０５８
【非特許文献１】「エッセーや講演集“Essay & Speech”」  モルジブの危機（グローバルネット２００５年４月号）環境ジャーナリストの会のページより）［平成１８年１０月６日検索］、インターネット＜URL:http://www.ecostation.gr.jp/essay&speech/Maldives.html＞
【発明の開示】
【発明が解決しようとする課題】
【０００５】
特許文献１は、水深１００ｍ〜３００ｍの海底に住む宝石サンゴの飼育を目的とするものである。従って、特許文献２記載の手法は、せいぜい水深５ｍ〜８ｍほどの浅瀬に生息するミドリイシのような造礁サンゴには適用することはできない。
【０００６】
また、非特許文献１記載の方法によれば、移植後のサンゴに高い生存率が認められたということであるが、実際の海底で実施されるものであり、移植先も同じ海域に限定される可能性もあり、しかも水槽内でのサンゴの増殖には適していない。
【０００７】
このように、従来は、サンゴ礁の破壊された場所または生育していなかった場所へのサンゴ群体の定着及び増殖のために、水槽内で、生存率及び成長率の高いサンゴを生育するための有効で確実な方法はなかった。そのため、サンゴ礁の破壊された場所または生育していなかった場所へのサンゴ群体の定着及び増殖を効率的に促進することはできないという問題点があった。
【０００８】
そこで、本発明は、上記問題点に鑑み、水槽内で、生存率及び成長率の高いサンゴを生育することができ、もって、サンゴ礁の破壊された場所または生育していなかった場所へのサンゴ群体の定着及び増殖を効率的に促進することができるサンゴの増殖方法及び装置を提供することを目的とする。
【課題を解決するための手段】
【０００９】
水槽の対向する第１の壁面及び第２の壁面に平行に配置された第１の電極及び第２の電極間の前記水槽の底壁に、サンゴ片を固着した基体を並べ、前記第１及び第２の電極を前記サンゴ片の垂直方向の中間位置に保持しつつ、前記第１の電極と前記第２の電極との間に、直流電圧を印加する。水槽の第３の壁面上に水平方向に沿って設けられた複数の海水噴出口から所定の水圧をかけて前記水槽内の水面へ海水を噴出することにより、水槽内へ給水し、水槽内の海水を前記第３の壁面に対向する第４の壁面側から該第４の壁面の横方向に延びた滝状に排水することにより、水位をほぼ一定に保ちながら、前記第３の壁面から前記第４の壁面に向かう定常的な海水の流れを作る。
【発明の効果】
【００１０】
生存率及び成長率の高いサンゴを増殖でき、サンゴ礁の破壊された場所または生育していなかった場所へのサンゴ群体の定着及び増殖が可能となる。
【発明を実施するための最良の形態】
【００１１】
以下、本発明の一実施形態について図面を参照して説明する。
【００１２】
本実施形態において、刺胞動物門花虫網六放サンゴ亜網イシサンゴ目に属する造礁サンゴ（以下、簡単に「サンゴ」と呼ぶ）を例にとり、その増殖方法について説明する。なお、上記イシサンゴ目に属するサンゴのうち、ムカシサンゴ亜目ミドリイシ科に属するサンゴをここでは「ミドリイシサンゴ」と呼ぶ。
【００１３】
まず、サンゴの群体から採取した約５ｃｍほどのサンゴ片Ｐを、図１に示すように、例えば、コンクリートなどで形成された高さ約２ｃｍ、横約２ｃｍ、縦約２ｃｍの基体（ポット）Ｂに接着剤などを用いて固着する。
【００１４】
図２は、本実施形態に係るサンゴ増殖装置の一例を示したもので、（ａ）図は、サンゴ増殖装置の平面図、（ｂ）図はサンゴ増殖装置の断面図を示している。サンゴ増殖装置は、大きく分けて、図２（ａ）に示すような長さ約１０〜１１ｍ、幅約１．８ｍ〜２ｍほどの大きさの水槽３０、排水槽８及び電圧印加部３１を含む。
【００１５】
水槽３０の対向する第１の壁面２及び第２の壁面３に沿って平行に、線状、棒状、あるいは断面が四角い平板状の細長い長さＬの第１の電極１１及び第２の電極１２を配置し、前記第１の電極１１及び第２の電極１２との間（例えば、第１の電極１１と第２の電極１２との中間）に、同じく、線状、棒状、あるいは断面が四角い平板状の細長い長さＬの第３の電極１３を平行に配置する。このとき、サンゴ増殖装置1内で同一種類のサンゴ（例えばミドリイシサンゴ）を増殖する場合には、第１の電極１１と第３の電極１３との間の距離Ｗ１と、第２の電極１２と第３の電極１３との間の距離Ｗ２は、ほぼ等しくなるように、第１乃至第３の電極を配置する。
【００１６】
図１に示したような、サンゴ片を固着した複数の基体Ｂは、第１の電極１１及び第３の電極１３の間と、第２の電極１２及び第３の電極１３の間の水槽３０の底壁６に並べる。
【００１７】
図３は、図２（ａ）のＡ−Ａ´線に沿う断面図を示したものである。なお、図３では、第１の電極１１、第２の電極１２及び第３の電極１３は、それぞれ直径ｄ、長さＬの棒状の電極である場合を示している。サンゴ片を固着した複数の基体Ｂを底壁に並べる場合、図３に示すように、第１の電極１１乃至第３の電極１３の底壁６からの高さを、サンゴ片の垂直方向の高さｈの中間位置に維持する。
【００１８】
図２（ａ）に示すように、水槽３０の第３の壁面４は、壁面全体が外側に湾曲している。図４に示すように、第３の壁面４、第３の壁面４に繋がる第１の壁面２及び第２の壁面３の上端縁に沿って、複数の海水噴出口２２が設けられたパイプ２１が取り付けられている。海水をポンプによりくみ上げて、パイプ２１に海水を流すとともに、所定の水圧をかけて複数の海水噴出口２２から、水槽３０内の水面中央部に向けて海水を噴出することにより水槽３０内に給水する。さらに、水槽３０内の海水を第３の壁面４に対向する第４の壁面５側から、図２（ｂ）に示すように、水平方向に滝状に排水することにより、第３の壁面４から第４の壁面５に向かう定常的な海水の流れを作る。第４の壁面５を形成する壁部７は、水平方向に沿って設けられている排水槽８と水槽３０とを隔てている。壁部７の高さは、底壁６から基体に固定されたサンゴの最上点よりも１．５ｃｍ乃至２．５ｃｍ上に設定されている。従って、上記のように海水を給水・排水することにより、図３に示すように、水槽３０内の水位を底壁６からポットに固定されたサンゴの最上点よりも１．５ｃｍ乃至２．５ｃｍ上に保つことができる。
【００１９】
図４に示すように、第１の壁面２及び第２の壁面３の上端縁に沿って設けられ複数の海水噴出口２２は、水槽３０内の上記定常的な海水の流れの方向に沿う方向に斜めに海水を噴出する。
【００２０】
給水に際し、水槽３０内の水面が泡立つ程の水圧をかけて、水面をたたくように複数の海水噴出口２２から海水を噴出すると、水槽３０内の水面が該定常的な海水の流れに沿って、約１．５ｃｍ〜２ｃｍほどの高さの波が立つ。水槽３０内の水面に波が立ちしかも泡立つ程に海水を噴出することにより、水槽３０内の海水が空気に触れる表面積が増え、その結果、水槽３０内の海水中の酸素や二酸化炭素などの気体の含有量が増加する。また、水位が底壁６から基体に固定されたサンゴの最上点よりも１．５ｃｍ乃至２．５ｃｍ上に保ちながら上記のように波を立たせることにより、サンゴが直接空気に触れる機会を与えることができる。実際、自然の海では、環礁の波打ち際に生育するサンゴは元気がよい。さらに、複数の海水噴出口２２から水面をたたくように海水噴出口２２から噴射された海水が水面上で霧状になり、蒸発し易くなるため、水面の気化熱を奪い水温を下げる効果もある。その結果、サンゴ（特にミドリイシサンゴ）の増殖に適した水温（２５℃〜２８℃）を維持し得る。
【００２１】
本実施形態に係るサンゴ増殖装置は、このような給水方法により、環礁の波打ち際を水槽３０内に再現することにより、サンゴの生育に必要な充分な酸素や二酸化炭素を供給する。
【００２２】
水槽３０内に一定方向の定常的な流れを作り、海水を第４の壁面５側の水平方向に沿って滝状に排水することにより、水槽３０中のサンゴの呼吸や代謝によって発生する排泄物や、水面上に浮かぶゴミなどの汚物、酸化還元反応による生成物などを水槽３０内から取り除くことができ、水槽３０内には常に清浄な海水が供給される。
【００２３】
なお、上記説明では、第１の壁面２上に水平方向に沿って設けられた複数の海水噴出口、及び第２の壁面３上に水平方向に沿って設けられた複数の海水噴出口からも水槽３０内へ海水を給水する場合を説明したが、この場合に限らず、少なくとも、第３の壁面４上に水平方向に沿って設けられた複数の海水噴出口から水槽３０内の水面中央部に向けて海水を噴出することにより給水し、水槽３０内の海水を第４の壁面５側から、図２（ｂ）に示すように、水平方向に滝状に排水することにより、第３の壁面４から第４の壁面５に向かう定常的な海水の流れを作ればよい。しかし、図４に示したように、第３の壁面４側のみならず、第１の壁面２及び第２の壁面３の三方から上述したように給水する方が、酸素の供給と海水の浄化に、より一層の効果があることは言うまでもない。
【００２４】
ここで、上述のサンゴ増殖装置１でミドリイシサンゴを増殖するために、第１の電極１１、第２の電極１２及び第３の電極１３として、直径ｄ＝１２ｍｍ、長さＬ＝４ｍの棒状の電極を用いた。そして、第１の電極１１と第３の電極１３との間の距離Ｗ１と、第２の電極１２と第３の電極１３との間の距離Ｗ２は、ともに０．８ｍとなるように配置した（Ｗ１＝Ｗ２＝０．８ｍ）。前述したように、ミドリイシサンゴのサンゴ片を固着した複数の基体Ｂは、第１の電極１１及び第３の電極１３の間と、第２の電極１２及び第３の電極１３の間の水槽３０の底壁６に並べる。
【００２５】
このように電極を配置した上で、第１の電極１１と第３の電極１３との間、第２の電極と第３の電極との間に、電圧印加部３１により、Ｖ＝３．７ボルト（ｖ）〜４．２ｖの範囲内の直流電圧をそれぞれ印加して、第１の電極１１と第３の電極１３との間、第２の電極と第３の電極との間にそれぞれｉ＝０．９アンペア（Ａ）〜１．４Ａの範囲内の電流を流す。例えば、第１の電極１１及び第２の電極１２をカソードとして用いて、負の電圧を印加し、あるいは接地し、第３の電極１３をアノードとして用いて、正の電圧をかけ、海水の電気伝導特性（例えば標準海水の電気伝導率は水温２５度で約２〜４ジーメンス（Ｓ）／ｍ（約０．２５〜０．５Ωｍ）を利用して通電する。
【００２６】
海水の電気伝導度は、海域や水温によって異なるが、例えば、電気伝導率σが３．５Ｓ／ｍのとき、第１の電極１１と第３の電極１３の間（Ｗ１＝０．８ｍ）に電圧Ｖ＝４ｖをかけると、第１の電極１１と第３の電極１３の間には、Ｅ＝Ｖ／Ｗ１＝約５ｖ／ｍの大きさの電界が生じる。この間の電流密度ｊはｊ＝σＥ＝約３．５×約５＝約１７．５Ａ／ｍ２となる。当該電極の対向面の面積ｓは、ｓ＝π（d/2）Ｌ＝（０．００６π×４）ｍ２であるから、当該２つの電極間に流れる電流ｉは、ｉ＝ｊ×ｓから、約１．３Ａとなる。第２の電極と第３の電極の間も同様である。
【００２７】
さらに、サンゴ増殖装置１の上部を黒いシートで覆うことにより、紫外線を遮るとともに、外部からの入射光を一部遮光して、水槽３０内を、自然界でサンゴに共生する褐虫藻の生息に適した水深、例えば、ミドリイシサンゴの場合には、海面下５ｍ〜８ｍの光度に保つ。
【００２８】
以上のようにして、サンゴ増殖装置１内でミドリイシサンゴのサンゴ片Ｐを固着した基体Ｂを最低３日増殖する。例えば、上記サンゴ増殖装置１でミドリイシサンゴのサンゴ片３０個を３日間増殖した場合、その生存率は１００％であった。その後、サンゴ片Ｐを固着した基体Ｂを水槽から取り出し、水深５ｍ〜８ｍの海中に移植する。海中に移植してから１ヶ月後には、サンゴ片１個につき、３ｍｍ〜４ｍｍの成長が確認された。通常自然界に生存している同程度の大きさのミドリイシサンゴは１ヶ月で１ｍｍほどしか成長しない。これに対し、本願発明に係るサンゴ増殖方法を適用した上記サンゴ増殖装置を用いることで、通常の３倍以上という高い成長率を実現することができる。
【００２９】
上述のサンゴ増殖装置１で、上述同様に、直径ｄ＝１２ｍｍ、長さＬ＝４ｍの棒状の２つ電極を０．８ｍ離して配置し、当該２つの電極間に異なる直流電圧を印加して（電圧を変えることで、当該２つの電極間の電界の強さＥや電流も変化する）場合に、当該２つの電極間に前述同様に並べられたミドリイシサンゴのサンゴ片３０個の３日後の生存率を測定した結果を以下に示す。
【００３０】
当該２つの電極間に２０ｖ、１８ｖの電圧をかけた場合、３日後の生存率は５０％であった。また１５ｖの電圧をかけた場合には６０％、１２ｖの電圧をかけた場合には７０％、３ｖ〜７ｖの電圧をかけた場合にはほぼ１００％の生存率が認められた。２．５ｖ以下の電圧では生存率は９５％であった。
【００３１】
海水の電気伝導度の違いが影響するものの、この結果からも、２つの電極間に、約３ｖ〜７ｖの範囲内、好ましくはＶ＝約３．７ｖ〜４．２ｖの範囲内の直流電圧を印加して、当該２つの電極間にｉ＝０．９Ａ〜１．４Ａの範囲内の電流を流すことが、ミドリイシサンゴの増殖にあたって適していることが確認できた。また、２つの電極間にｉ＝０．９Ａ〜１．４Ａの範囲内の電流を流した場合、当該２つの電極間の電流密度ｊは、（各電極の対向面の面積ｓから）ｊ＝約１２〜１９Ａ／ｍ２程度であることが望ましいとも云える。
【００３２】
従って、電極の大きさ（ｄ、Ｌ）や、２つの電極間の距離を、水槽３０のサイズに合わせて変更した場合であっても、２つの電極間に電圧をかけた場合に、当該２つの電極間に約０．９〜１．４Ａの範囲内の電流ｉが流れるように、当該電極間の電圧Ｖ及び当該電極間の間隔Ｗを調節すればよい。例えば、２つの電極間に電流ｉを流す場合、当該２つの電極間の電流密度ｊはｊ＝ｉ／ｓとなるから、これと、そのときの海水の電気伝導度σとから、当該２つの電極の電界の強さＥはｊ／σとなる。よって、Ｅ＝Ｖ／Ｗという関係を用いて、当該２つの電極間に電圧Ｖと間隔Ｗを設定する。あるいは、２つの電極間に電圧Ｖをかけた場合に、当該２つの電極間に約１２〜１９Ａ／ｍ２の範囲内の電流密度ｊが得られるように、当該電極間の電圧Ｖ及び間隔Ｗを調節すればよい。例えば、そのときの海水の電気伝導度σと、ｊ＝σＥという関係から、２つの電極間の電界の強さＥはｊ／σとなる。よって、Ｅ＝Ｖ／Ｗという関係を用いて、当該２つの電極間の電圧Ｖと間隔Ｗを設定する。いずれの場合においも、２つの電極間に印加する電圧は約６ｖ以内であることが望ましい。
【００３３】
なお、上述の説明では、３つの電極を用いる場合について説明したが、必ずしも３つの電極を用いることはなく、２つの電極だけを用いることもできる。また、電極の大きさも、ｄ＝１２ｍｍ、長さＬ＝４ｍに限定するものではない。２つの電極だけを用いる場合、対向する第１の壁面２及び第２の壁面３に平行に、第１の電極１１及び第２の電極１２を配置する。そして、第１の電極１１と第２の電極１２のうちのいずれか一方をカソード、他方をアノードとして用いて、当該２つの電極間に電圧を印加した場合に、当該２つの電極間に所望の電流あるいは電流密度が得られるように、当該２つの電極間の電圧Ｖ及び電極間の間隔Ｗを調節する。ミドリイシサンゴのサンゴ片を固着した複数の基体Ｂを、第１の電極１１及び第２の電極１２の間の水槽３０の底壁６に並べて、上述した３つの電極を用いた場合と同様にして、水槽３０内でミドリイシサンゴを増殖することができる。
【００３４】
また、水槽３０は、第３の壁部４が外側に湾曲していない方形状の水槽でもよいが、この場合、上述したように第３の壁面から第４の壁面に向かう定常的な海水の流れを作る場合、第３の壁面の２つの角部が流れの死角となり、ここに海水が滞留してしまい、汚物がたまることがある。しかし、第３の壁面の角部が外側に湾曲していることにより、流れの死角がなくなるため、海水の浄化により効果があると云える。
【００３５】
以上説明したように、上記実施形態によれば、水槽３０内に、サンゴのサンゴ虫（ポリプ）に適した環境と、該サンゴに共生する褐虫藻に適した環境を再現し、さらに、サンゴに適したで電圧・電流（電流密度）をかけることにより、高い生存率及び成長率でサンゴを増殖することができる。
【図面の簡単な説明】
【００３６】
【図１】基体にサンゴ片を固着した状態を示した図。
【図２】（ａ）図は、サンゴ増殖装置の平面図、（ｂ）図はサンゴ増殖装置の断面図。
【図３】図２（ａ）のＡ−Ａ´線に沿う断面図。
【図４】図２のサンゴ増殖装置において水槽内への海水の給水方法を説明するための図。
【符号の説明】
【００３７】
１…水槽、２…第１の壁面、３…第２の壁面、４…第３の壁面、５…第４の壁面、１１…第１の電極、１２…第２の電極、１３…第３の電極
【図１】
2008259476.tif 000003
【図２】
2008259476.tif 000004
【図３】
2008259476.tif 000005
【図４】
2008259476.tif 000006